(57)【特許請求の範囲】
【請求項１】
長尺状のフィルムを巻芯に巻き回してなるフィルムロールを、前記巻芯の両端部に略矩形の支持板を取り付けた状態で収容するフィルムロール用梱包箱であって、
開口部を有する有底の本体部と、
前記開口部を塞ぐように前記本体部に取り付けられる蓋部と、
前記本体部の底面及び前記蓋部の内面において互いに対向するようにそれぞれ設けられ、前記支持板が嵌め込まれることによって箱内で前記フィルムロールを起立保持する枠体と、を備え、
前記枠体の内側には、
第１の寸法の前記支持板に対応する略矩形の第１保持領域と、
前記第１の寸法とは異なる第２の寸法の前記支持板に対応すると共に、前記第１保持領域で保持される前記フィルムロールの前記巻芯の軸周りに所定角度だけ回転した状態で前記第１保持領域に重ね合わされた略矩形の第２保持領域とが設けられていることを特徴とするフィルムロール用梱包箱。
【請求項２】
前記本体部における前記枠体は、前記本体部の前記底面から突出していることを特徴とする請求項１記載のフィルムロール用梱包箱。
【請求項３】
前記蓋部における前記枠体は、前記蓋部の前記内面から突出していることを特徴とする請求項１又は２記載のフィルムロール用梱包箱。
【請求項４】
前記第１保持領域に対する前記第２保持領域の回転角度は、２０°〜３０°であることを特徴とする請求項１〜３のいずれか一項記載のフィルムロール用梱包箱。
【請求項５】
前記本体部及び前記蓋部が断熱材によって形成されていることを特徴とする請求項１〜４のいずれか一項記載のフィルムロール用梱包箱。
【請求項６】
前記本体部において、前記枠体の外側には断熱材からなる一対の仕切板が配置されており、
前記仕切板と前記本体部の側壁とによって、前記枠体を挟んで対称となるように保冷材収容領域が形成されていることを特徴とする請求項５記載のフィルムロール用梱包箱。
【請求項７】
前記保冷材収容領域における前記本体部の底部の厚さは、前記第１保持領域及び前記第２保持領域における前記本体部の底部の厚さよりも大きくなっていることを特徴とする請求項６記載のフィルムロール用梱包箱。
【請求項８】
前記保冷材収容領域における前記蓋部の厚さは、前記第１保持領域及び前記第２保持領域における前記蓋部の厚さよりも大きくなっていることを特徴とする請求項６又は７記載のフィルムロール用梱包箱。
【請求項９】
前記本体部の側壁の厚さは、前記仕切板の厚さよりも大きくなっていることを特徴とする請求項６〜８のいずれか一項記載のフィルムロール用梱包箱。
【発明の詳細な説明】
【技術分野】
【０００１】
本発明は、例えば感光性フィルムロールの保管・運搬等に用いられるフィルムロール用梱包箱に関する。
【背景技術】
【０００２】
長尺状のフィルムを巻芯に巻き回してなるフィルムロールには、例えば感光性フィルムを遮光包装してなるものがある。このようなフィルムロールの保管・運搬に際しては、巻芯の両端部に支持板を装着し、フィルムロールが外箱に接触しないように箱側で支持板を保持した状態で梱包するのが一般的である。これにより、振動や衝撃からフィルムを保護でき、外箱への接触によるフィルムの品質劣化の防止が図られる。
【先行技術文献】
【特許文献】
【０００３】
【特許文献１】特開平７−２８７３５０号公報
【発明の概要】
【発明が解決しようとする課題】
【０００４】
ところで、近年ではフィルムロールの巻数のバリエーションが増加しており、これに伴って巻芯の両端部に装着させる支持板の寸法も多様化している。従来のフィルムロール梱包箱では、支持板の寸法が異なるフィルムロールを収容する場合には、保持構造の寸法を変えた複数の梱包箱を用意していたが、支持板の寸法が異なるフィルムロールを同一の梱包箱に選択的に梱包することができなかった。
【０００５】
本発明は、上記課題の解決のためになされたものであり、支持板の寸法が異なるフィルムロールを選択的に梱包することができるフィルムロール用梱包箱を提供することを目的とする。
【課題を解決するための手段】
【０００６】
上記課題の解決のため、本発明に係るフィルムロール用梱包箱は、長尺状のフィルムを巻芯に巻き回してなるフィルムロールを、巻芯の両端部に略矩形の支持板を取り付けた状態で収容するフィルムロール用梱包箱であって、開口部を有する有底の本体部と、開口部を塞ぐように本体部に取り付けられる蓋部と、本体部の底面及び蓋部の内面において互いに対向するようにそれぞれ設けられ、支持板が嵌め込まれることによって箱内でフィルムロールを起立保持する枠体と、を備え、枠体の内側には、第１の寸法の支持板に対応する略矩形の第１保持領域と、第１の寸法とは異なる第２の寸法の支持板に対応すると共に、第１保持領域で保持されるフィルムロールの巻芯の軸周りに所定角度だけ回転した状態で第１保持領域に重ね合わされた略矩形の第２保持領域とが設けられていることを特徴としている。
【０００７】
このフィルムロール用梱包箱では、本体部及び蓋部に形成された枠体の内側に、第１の寸法の支持板を保持する略矩形の第１保持領域と、第１保持領域で保持されるフィルムロールの巻芯の軸周りに所定角度だけ回転した状態で第１保持領域に重ね合わされた略矩形の第２保持領域とが設けられている。したがって、支持板の寸法に応じて第１保持領域と第２保持領域とを使い分けることにより、支持板の寸法が異なるフィルムロールを選択的に梱包することができる。また、このフィルムロール用梱包箱では、第１保持領域と第２保持領域とが重ね合わされているので、箱の大型化も回避できる。
【０００８】
また、本体部における枠体は、本体部の底面から突出していることが好ましい。この場合、箱の高さ方向について枠体の長さを十分に確保できるので、フィルムロールの高さ（一方の支持板から他方の支持板までの長さ）が異なる場合であっても、支持板を枠体でしっかりと保持することができる。
【０００９】
また、蓋部における枠体は、蓋部の内面から突出していることが好ましい。この場合、箱の高さ方向について枠体の長さを十分に確保できるので、フィルムロールの高さ（一方の支持板から他方の支持板までの長さ）が異なる場合であっても、支持板を枠体でしっかりと保持することができる。
【００１０】
また、第１保持領域に対する第２保持領域の回転角度は、２０°〜３０°であることが好ましい。第２保持領域の回転角度を上記範囲にすることにより、第２保持領域に配置される支持板の角部を枠体によってしっかりと保持できる。また、第２保持領域が第１保持領域から突出する長さを抑えることができるので、箱の大型化を回避できる。
【００１１】
また、本体部及び蓋部が断熱材によって形成されていることが好ましい。これにより、箱内の温度が一定に保たれるので、フィルムを長持ちさせることができる。
【００１２】
また、本体部において、枠体の外側には断熱材からなる一対の仕切板が配置されており、仕切板と本体部の側壁とによって、枠体を挟んで対称となるように保冷材収容領域が形成されていることが好ましい。この場合、箱内の温度を保冷材によって低温に保つことができる。また、枠体を挟んで対称に保冷材収容領域を形成することにより、箱内の温度の均一性を確保できる。これにより、フィルムを一層長持ちさせることができる。
【００１３】
また、保冷材収容領域における本体部の底部の厚さは、第１保持領域及び第２保持領域における本体部の底部の厚さよりも大きくなっていることが好ましい。この場合、フィルムロールの保冷効率の向上が図られる。また、箱の高さ方向について枠体の長さを十分に確保できるので、高さの異なるフィルムロールを一層確実に枠体で保持できる。
【００１４】
また、保冷材収容領域における蓋部の厚さは、第１保持領域及び第２保持領域における蓋部の厚さよりも大きくなっていることが好ましい。この場合、フィルムロールの保冷効率の向上が図られる。また、箱の高さ方向について枠体の長さを十分に確保できるので、高さの異なるフィルムロールを一層確実に枠体で保持できる。
【００１５】
また、本体部の側壁の厚さは、仕切板の厚さよりも大きくなっていることが好ましい。この場合、フィルムロールの保冷効率を一層向上できる。
【発明の効果】
【００１６】
本発明によれば、支持板の寸法が異なるフィルムロールを選択的に梱包することができる。
【図面の簡単な説明】
【００１７】
【図１】本発明に係るフィルムロール用梱包箱の一実施形態を示す図である。
【図２】図１に示したフィルムロール用梱包箱における本体部の平面図である。
【図３】図２におけるＩＩＩ−ＩＩＩ線断面図である。
【図４】図２におけるＩＶ−ＩＶ線断面図である。
【図５】図１に示したフィルムロール用梱包箱における蓋部の平面図である。
【図６】図５におけるＶＩ−ＶＩ線断面図である。
【図７】図５におけるＶＩＩ−ＶＩＩ線断面図である。
【図８】フィルムロールの収容の様子を示す図である。
【図９】変形例に係るフィルムロール用梱包箱を示す図である。
【図１０】図９に示したフィルムロール用梱包箱における本体部の平面図である。
【図１１】図１０におけるＸＩ−ＸＩ線断面図である。
【図１２】図１０におけるＸＩＩ−ＸＩＩ線断面図である。
【図１３】図９に示したフィルムロール用梱包箱における蓋部の平面図である。
【図１４】図１３におけるＸＩＶ−ＸＩＶ線断面図である。
【図１５】図１３におけるＸＶ−ＸＶ線断面図である。
【図１６】別の変形例に係るフィルムロール用梱包箱における蓋部の断面図である。
【発明を実施するための形態】
【００１８】
以下、図面を参照しながら、本発明に係るフィルムロール用梱包箱の好適な実施形態について詳細に説明する。
【００１９】
図１は、本発明に係るフィルムロール用梱包箱の一実施形態を示す斜視図である。図１に示すように、フィルムロール用梱包箱１は、フィルムロール２の保管・運搬に用いられる箱であり、開口部を有する有底の本体部１０と、開口部を塞ぐように本体部に取り付けられる蓋部２０とを備えている。本実施形態におけるフィルムロール用梱包箱１は、例えば幅５１０ｍｍ×奥行き６６０ｍｍ×高さ４７０ｍｍの略直方体形状をなしており、箱内に最大２本のフィルムロール２を収容可能となっている。
【００２０】
まず、フィルムロール２の構成について説明する。フィルムロール２は、中空円筒体からなる巻芯３に巻き回された長尺状のフィルム４と、フィルム４を包装する包装材５とによって構成されている。フィルム４は、例えば幅２００ｍｍ〜２０００ｍｍ、長さ１００ｍ〜１０００ｍの感光材料によって形成されている。このようなフィルム４としては、例えば日立化成工業（株）製の商品名フォテック、旭化成工業（株）製の商品名サンフォート、ニチゴー・モートン（株）製の商品名アルフォ，ラミナー，ダイナマスク，コンフォマスク、デュポン社製の商品名リストン等が挙げられる。
【００２１】
包装材５は、遮光防湿材料を含んで構成され、フィルム４の外側を覆うようにして粘着テープで固定されている。この包装材５は、巻芯３の両端の開口部分から巻芯３の中空部内に折り込まれており、フィルム４側に光や湿気が侵入しないようにフィルム４の全体を覆っている。なお、包装材５の端面には、例えば端面接触部用フィルムと乾燥剤層の２層以上の多層構造や、低透湿フィルムと乾燥剤層からなる単層構造が採用された保護シート（不図示）を設けてもよい。この場合、フィルム４の端面を保護することができると共に、フィルム４への水分の浸入を防止できる、
【００２２】
フィルムロール用梱包箱１への収容にあたり、フィルムロール２の巻芯３の両端部には、略矩形の支持板６，６がそれぞれ取り付けられる。支持板６は、例えばプラスチックによって形成されている。支持板６の一方面側の略中央部分には、巻芯３の中空部の内径に対応する外径を有する略円筒形の突起部７が設けられており、この突起部７を巻芯３の中空部に嵌め込むことにより、巻芯３の両端部に支持板６を固定できるようになっている。
【００２３】
また、支持板６の寸法は、フィルムロール２におけるフィルム４の巻数に応じて適宜設定されている。例えば巻数が４００のフィルムロール２Ａに対しては、１辺が約２２５ｍｍの略正方形の支持板（第１の支持板）６Ａが用いられ、巻数が３００のフィルムロール２Ｂに対しては、１辺が約１９５ｍｍの略正方形の支持板（第２の支持板）６Ｂが用いられる。
【００２４】
次に、フィルムロール用梱包箱１の構成について説明する。フィルムロール用梱包箱１の本体部１０は、例えば発泡スチロールによって形成され、断熱性・耐水性・衝撃吸収性を有している。本体部１０の長手方向の側壁１０ａ，１０ａには、取手としての矩形の窪み部１１，１１がそれぞれ設けられており、フィルムロール用梱包箱１の持ち運び易さが担保されている。また、同側壁１０ａ，１０ａの上端部には、一対の切込部１２，１２が設けられている。この切込部１２，１２により、本体部１０に被せた蓋部２０の開け易さが担保されている。
【００２５】
本体部１０の底面１０ｃには、図２に示すように、フィルムロール２の支持板６を嵌め込む２つの枠体３０，３０が本体部１０の長手方向に並んで設けられている。各枠体３０の内側には、支持板６Ａに対応する１辺が約２２５ｍｍの略正方形の第１保持領域３１と、支持板６Ｂに対応する１辺が約１９５ｍｍの略正方形の第２保持領域３２とが設けられている。
【００２６】
第２保持領域３２は、第１保持領域３１と同心に配置され、且つ第１保持領域３１で保持されるフィルムロール２の巻芯３の軸周りに所定角度θだけ回転した状態で第１保持領域３１に重ね合わされている。枠体３０は、第１保持領域３１と第２保持領域３２とが重ね合わされて形成される図形の外殻線に沿って、本体部１０の底面１０ｃから２０ｍｍ程度突出した状態で画成されている。なお、第１保持領域３１に対する第２保持領域３２の回転角度θは２０°〜３０°の範囲であることが好ましく、本実施形態では例えば２２．５°となっている。
【００２７】
これら２つの枠体３０，３０は、一方の枠体３０において第２保持領域３２の一の角部を形成している部分が他方の枠体３０における第１保持領域３１の一辺を形成している部分に接し、且つ他方の枠体３０において第２保持領域３２の一の角部を形成している部分が一方の枠体３０における第１保持領域３１の一辺を形成している部分に接する程度に互いに近接して配置されている。
【００２８】
また、枠体３０，３０の両脇には、本体部１０の長手方向に沿って仕切板３３，３３がそれぞれ着脱自在に配置されている。仕切板３３は、本体部１０と同様に発泡スチロールによって形成されている。この仕切板３３，３３により、枠体３０，３０の両脇には、仕切板３３と本体部１０の側壁１０ａ，１０ｂとによって囲まれる保冷材収容領域３４，３４が枠体３０，３０を挟んで対称に形成されている。
【００２９】
ここで、図３及び図４に示すように、保冷材収容領域３４において、仕切板３３の厚さは１０ｍｍ程度となっているのに対し、本体部１０の側壁１０ａ，１０ｂの厚さは２５ｍｍ程度となっており、仕切板３３の厚さに比べて２倍以上に大きくなっている。また、保冷材収容領域３４と枠体３０の内側の第１保持領域３１及び第２保持領域３２とを比較すると、第１保持領域３１及び第２保持領域３２における本体部１０の底部１０ｄの厚さは２０ｍｍ程度となっているのに対し、保冷材収容領域３４における本体部１０の底部１０ｅの厚さは３０ｍｍ程度となっており、第１保持領域３１及び第２保持領域３２における本体部１０の底部１０ｄの厚さに比べて１．５倍程度に大きくなっている。
【００３０】
フィルムロール用梱包箱１の蓋部２０は、本体部１０と同様に例えば発泡スチロールによって形成され、断熱性・耐水性・衝撃吸収性を有している。蓋部２０の内面２０ｃには、図５に示すように、フィルムロール２の支持板６を嵌め込む２つの枠体４０，４０が本体部１０の枠体３０，３０と対向するように設けられている。各枠体４０の内側には、支持板６Ａに対応する１辺が約２２５ｍｍの略正方形の第１保持領域４１と、支持板６Ｂに対応する１辺が約１９５ｍｍの略正方形の第２保持領域４２とが設けられている。
【００３１】
第２保持領域４２は、第１保持領域４１と同心に配置され、且つ第１保持領域４１で保持されるフィルムロール２の巻芯３の軸周りに所定角度θ（本体部１０側の第２保持領域３２の回転角度θと同角度）だけ回転した状態で第１保持領域４１に重ね合わされている。枠体４０は、第１保持領域４１と第２保持領域４２とが重ね合わされて形成される図形の外殻線に沿って、蓋部２０の内面２０ｃから２０ｍｍ程度突出した状態で画成されている。
【００３２】
これら２つの枠体４０，４０は、一方の枠体４０において第２保持領域４２の一の角部を形成している部分が他方の枠体４０における第１保持領域４１の一辺を形成している部分に接し、且つ他方の枠体４０において第２保持領域４２の一の角部を形成している部分が一方の枠体４０における第１保持領域４１の一辺を形成している部分に接する程度に互いに近接して配置されている。
【００３３】
ここで、図６及び図７に示すように、蓋部２０における長手方向の側壁２０ａ，２０ａの厚さ及び幅方向の側壁２０ｂ，２０ｂの厚さはそれぞれ２５ｍｍ程度となっており、本体部１０側の仕切板３３の厚さに比べて２倍以上に大きくなっている。また、蓋部２０において、保冷材収容領域３４に被さる部分と枠体４０の内側の第１保持領域４１及び第２保持領域４２が形成された部分とを比較すると、第１保持領域４１及び第２保持領域４２が形成された部分２０ｄにおける蓋部２０の厚さは２０ｍｍ程度となっているのに対し、保冷材収容領域３４に被さる部分２０ｅにおける蓋部２０の厚さは３０ｍｍ程度となっており、第１保持領域４１及び第２保持領域４２が形成された部分２０ｄにおける蓋部２０の厚さに比べて１．５倍程度に大きくなっている。
【００３４】
以上のような構成を有するフィルムロール用梱包箱１では、フィルムロール２の両端部に取り付けた支持板６を本体部１０の枠体３０と蓋部２０の枠体４０とにそれぞれ嵌め込むことにより、フィルムロール２が箱に接触しないように保持した状態で梱包できる。これにより、保管や運搬の際の振動や衝撃からフィルム４を保護でき、箱への接触によるフィルム４の品質劣化の防止が図られる。
【００３５】
また、このフィルムロール用梱包箱１では、本体部１０に形成された枠体３０の内側に、支持板６Ａを保持する略正方形の第１保持領域３１と、第１保持領域３１で保持されるフィルムロール２の巻芯３の軸周りに所定角度θだけ回転した状態で第１保持領域４１に重ね合わされた略正方形の第２保持領域４２とが設けられている。また、蓋部２０には、本体部１０の枠体３０，３０と同様に構成された第１保持領域４１及び第２保持領域４２を有する枠体４０，４０が、枠体３０，３０に対向するように設けられている。
【００３６】
したがって、フィルムロール用梱包箱１では、例えば図８に示すように、支持板６Ａが取り付けられたフィルムロール２Ａを第１保持領域３１，４１によって保持し、支持板６Ｂが取り付けられたフィルムロール２Ｂを第２保持領域３２，４２によって保持することにより、支持板６の寸法が異なるフィルムロール２を選択的に梱包することができる。また、このフィルムロール用梱包箱１では、第１保持領域３１，４１と第２保持領域３２，４２とが別々に設けられているのではなく、回転角度をずらした状態で重ね合わされているので、箱の大型化も回避できる。
【００３７】
また、フィルムロール用梱包箱１では、本体部１０における枠体３０は、本体部１０の底面１０ｃから２０ｍｍ程度突出しており、蓋部２０における枠体４０は、蓋部２０の内面２０ｃから２０ｍｍ程度突出している。これにより、箱の高さ方向について枠体３０，４０の長さを十分に確保できるので、仮に収容するフィルムロール２の高さ（一方の支持板６から他方の支持板６までの長さ）が異なる場合であっても、支持板６を枠体３０，４０によってしっかりと保持することができる。
【００３８】
また、フィルムロール用梱包箱１では、上述した第１保持領域３１，４１に対する第２保持領域３２，４２の回転角度θが２０°〜３０°の範囲となっている。第２保持領域３２，４２の回転角度θを上記範囲にすることにより、第２保持領域３２，４２に配置される支持板６Ｂの角部を枠体４０によってしっかりと保持できる。一方、第２保持領域３２，４２が第１保持領域３１，４１から突出する長さを抑えることができるので、箱の大型化を回避できる。
【００３９】
また、フィルムロール用梱包箱１では、本体部１０及び蓋部２０が断熱材によって形成されていると共に、本体部１０において枠体３０，３０の外側に断熱材からなる一対の仕切板３３，３３が配置され、仕切板３３と本体部１０の側壁１０ａ，１０ｂとによって、枠体３０，３０を挟んで対称となるように保冷材収容領域３４が形成されている。これにより、箱内の温度を低温で均一に維持できるので、箱内に収容したフィルム４を長持ちさせることができる。
【００４０】
さらに、フィルムロール用梱包箱１では、本体部１０の側壁１０ａ，１０ｂの厚さが仕切板３３の厚さよりも大きくなっているほか、保冷材収容領域３４における本体部１０の底部１０ｅの厚さが、第１保持領域３１及び第２保持領域３２における本体部１０の底部１０ｄの厚さよりも大きくなっている。また、蓋部２０においても、保冷材収容領域３４に被さる部分２０ｅにおける蓋部２０の厚さが、第１保持領域４１及び第２保持領域４２が形成された部分２０ｄにおける蓋部２０の厚さよりも大きくなっている。このような厚さの関係を持たせることにより、保冷材によるフィルムロール２の保冷効率の向上が図られる。
【００４１】
続いて、本発明に係るフィルムロール用梱包箱の変形例について説明する。
【００４２】
図９〜図１５に示すように、変形例に係るフィルムロール用梱包箱５１は、フィルムロールの支持板を嵌め込む枠体８０，９０の配置数、及び保冷材収容領域８４，８４を形成する支持板８３，８３の配置の向きが上記実施形態と異なっており、その他の点については、上記実施形態と同様である。
【００４３】
より具体的には、フィルムロール用梱包箱５１では、図１０に示すように、本体部６０における底面６０ｃの略中央部分に１つの枠体８０が設けられている。枠体８０の内側には、図１１に示すように、支持板６Ａに対応する略正方形の第１保持領域８１と、支持板６Ｂに対応する略正方形の第２保持領域８２とが設けられている。第２保持領域８２は、第１保持領域８１と同心に配置され、且つ第１保持領域８１で保持されるフィルムロール２の巻芯３の軸周りに所定角度θ（２０°〜３０°）だけ回転した状態で第１保持領域８１に重ね合わされている。枠体８０は、第１保持領域８１と第２保持領域８２とが重ね合わされて形成される図形の外殻線に沿って、図１１及び図１２に示すように、本体部６０の底面６０ｃから突出した状態で画成されている。
【００４４】
また、枠体８０の両脇の仕切板８３，８３は、図１０及び図１１に示すように、本体部６０の幅方向に沿ってそれぞれ着脱自在に配置されている。この仕切板８３，８３により、枠体８０の両脇には、仕切板８３と本体部６０の側壁６０ａ，６０ｂとによって囲まれる保冷材収容領域８４，８４が枠体８０を挟んで対称に形成されている。この保冷材収容領域８４において、本体部６０の側壁６０ａ，６０ｂの厚さは、仕切板８３の厚さに比べて２倍以上に大きくなっている。また、保冷材収容領域８４における本体部６０の底部６０ｅの厚さは、第１保持領域８１及び第２保持領域８２における本体部６０の底部６０ｄの厚さに比べて１．５倍程度に大きくなっている。
【００４５】
また、フィルムロール用梱包箱５１では、図１３に示すように、蓋部７０における内面７０ｃの略中央部分に枠体８０と対向する枠体９０が設けられている。枠体９０の内側には、支持板６Ａに対応する略正方形の第１保持領域９１と、支持板６Ｂに対応する略正方形の第２保持領域９２とが設けられている。第２保持領域９２は、第１保持領域９１と同心に配置され、且つ第１保持領域９１で保持されるフィルムロール２の巻芯３の軸周りに所定角度θ（本体部６０側の第２保持領域８２の回転角度θと同角度）だけ回転した状態で第１保持領域９１に重ね合わされている。枠体９０は、第１保持領域９１と第２保持領域９２とが重ね合わされて形成される図形の外殻線に沿って、図１４及び図１５に示すように、蓋部７０の内面７０ｃから突出した状態で画成されている。
【００４６】
さらに、図１４及び図１５に示すように、蓋部７０における長手方向の側壁７０ａ，７０ａの厚さ及び幅方向の側壁７０ｂ，７０ｂの厚さは、本体部６０側の仕切板８３の厚さに比べて２倍以上に大きくなっている。また、蓋部７０において、保冷材収容領域８４に被さる部分７０ｅにおける蓋部７０の厚さは、第１保持領域９１及び第２保持領域９２が形成された部分７０ｄにおける蓋部７０の厚さに比べて１．５倍程度に大きくなっている。
【００４７】
以上のような構成を有するフィルムロール用梱包箱５１においても、支持板６Ａが取り付けられたフィルムロール２Ａを第１保持領域８１，９１によって保持し、支持板６Ｂが取り付けられたフィルムロール２Ｂを第２保持領域８２，９２によって保持することにより、支持板６の寸法が異なるフィルムロール２を選択的に梱包することができる。また、第１保持領域８１，９１と第２保持領域８２，９２とが別々に設けられているのではなく、回転角度をずらした状態で重ね合わされているので、箱の大型化も回避できる。
【００４８】
また、上記実施形態と同様に、フィルムロール用梱包箱５１では、本体部６０における枠体８０が本体部６０の底面６０ｃから突出し、蓋部７０における枠体９０が蓋部７０の内面７０ｃから突出している。これにより、箱の高さ方向について枠体８０，９０の長さを十分に確保できるので、収容するフィルムロール２の高さが異なる場合であっても、支持板６を枠体８０，９０によってしっかりと保持することができる。
【００４９】
また、フィルムロール用梱包箱５１では、保冷材収容領域３４を形成する仕切板８３，８３が本体部６０の幅方向に沿って配置されている。このような構成は、箱内の温度を低温で均一に維持するという観点から、当該実施形態のように単一の枠体８０，９０を本体部６０及び蓋部７０の略中央部に設ける場合に特に有効である。
【００５０】
その他、フィルムロール用梱包箱５１においても、第１保持領域８１，９１に対する第２保持領域８２，９２の回転角度θが２０°〜３０°の範囲となっていることで、箱の大型化を回避しつつ支持板６Ｂの角部を枠体８０，９０によってしっかりと保持できる点、及び本体部６０と蓋部７０の各部位の厚さの関係を規定することによって保冷材によるフィルムロール２の保冷効率の向上が図られる点について、上記実施形態と同様の効果が得られる。
【００５１】
なお、フィルムロール用梱包箱１，５１における各部位の寸法は、収容するフィルムロール２の支持板６の寸法に応じて適宜変更が可能である。特に、フィルムロール２の高さが異なる場合には、図１６に示すように、側壁１００ａ，１００ｂの高さが、図６及び図７に示した蓋部２０における側壁２０ａ，２０ｂの高さや図１４及び図１５に示した蓋部７０における側壁７０ａ，７０ｂの高さに比べて小さい蓋部１００を用いることが好ましい。この場合、高さの異なるフィルムロール２を梱包するためのフィルムロール用梱包箱を作製するにあたって、蓋部の寸法のみを変更すればよいので、製造コストの低減化が図られる。
【符号の説明】
【００５２】
１，５１…フィルムロール用梱包箱、３…巻芯、４…フィルム、６Ａ…支持板（第１の支持板）、６Ｂ…支持板（第２の支持板）、１０，６０…本体部、１０ａ，１０ｂ，６０ａ，６０ｂ…側壁、１０ｃ，６０ｃ…底面、２０，７０，１００…蓋部、２０ａ，２０ｂ，７０ａ，７０ｂ，１００ａ，１００ｂ…側壁、２０ｃ，７０ｃ…内面、３０，８０…枠体、３１，８１…第１保持領域、３２，８２…第２保持領域、３３，８３…仕切板、３４，８４…保冷材収容領域、４０，９０…枠体、４１，９１…第１保持領域、４２，９２…第２保持領域、θ…回転角度。
【図１】
0005428946.tif 000002
【図２】
0005428946.tif 000003
【図３】
0005428946.tif 000004
【図４】
0005428946.tif 000005
【図５】
0005428946.tif 000006
【図６】
0005428946.tif 000007
【図７】
0005428946.tif 000008
【図８】
0005428946.tif 000009
【図９】
0005428946.tif 000010
【図１０】
0005428946.tif 000011
【図１１】
0005428946.tif 000012
【図１２】
0005428946.tif 000013
【図１３】
0005428946.tif 000014
【図１４】
0005428946.tif 000015
【図１５】
0005428946.tif 000016
【図１６】
0005428946.tif 000017